(57)【要約】【課題】冷凍機および圧縮機などの動力を使用せず、設置用スペースに場所を取らず、流し台のコーナーに収納可能であり、取り扱い操作が簡単で、かつ軽量安価な流し台用生ゴミ保管容器を提供する。【解決手段】  容器本体と該本体に開閉自在に取り付けられた蓋体とを備え、流し台に設置して生ゴミを保管するための流し台用生ゴミ保管容器であって、該容器本体は、生ゴミを圧縮する生ゴミ圧縮手段および生ゴミの水切りをする生ゴミ水切り手段を有する生ゴミ収納室と、該生ゴミ収納室に隣接し、生ゴミを保冷する生ゴミ保冷手段を有する保冷剤室と、上記水切り手段により得られた生ゴミからの排水を貯水する排水貯水室とを備えてなり、上記生ゴミ圧縮手段は、生ゴミ収納室底部に設けられたスプリング付き押上台により、生ゴミを該押上台と蓋体との間で圧縮する手段である。【選択図】図１
2005231856.tif 000002
【特許請求の範囲】
【請求項１】
容器本体と該本体に開閉自在に取り付けられた蓋体とを備え、流し台に設置して生ゴミを保管するための流し台用生ゴミ保管容器であって、
前記容器本体は、生ゴミを圧縮する生ゴミ圧縮手段および生ゴミの水切りをする生ゴミ水切り手段を有する生ゴミ収納室と、該生ゴミ収納室に隣接し、生ゴミを保冷する生ゴミ保冷手段を有する保冷剤室と、前記水切り手段により得られた生ゴミからの排水を貯水する排水貯水室とを備えてなり、
前記生ゴミ圧縮手段は、前記生ゴミ収納室底部に設けられたスプリング付き押上台により、生ゴミを該押上台と前記蓋体との間で圧縮する手段であることを特徴とする流し台用生ゴミ保管容器。
【請求項２】
前記容器本体および前記蓋体は、断熱手段を備えてなることを特徴とする請求項１記載の流し台用生ゴミ保管容器。
【請求項３】
前記容器本体および前記蓋体は、流し台のコーナーに合わせた略三角柱形状であることを特徴とする請求項１または請求項２記載の流し台用生ゴミ保管容器。
【請求項４】
前記容器本体は、該本体内部を前記生ゴミ収納室と、前記保冷剤室と、前記排水貯水室とに仕切る仕切板を備えてなるこを特徴とする請求項１、請求項２または請求項３記載の流し台用生ゴミ保管容器。
【請求項５】
前記圧縮手段は、前記生ゴミ収納室内に設けられたスプリング付き押上台と、前記蓋体に着脱自在に取り付けられたスプリング付き押下台との間で生ゴミを圧縮する手段であることを特徴とする請求項１ないし請求項４のいずれか一項記載の流し台用生ゴミ保管容器。
【請求項６】
容器本体と該本体に開閉自在に取り付けられた蓋体とを備え、流し台に設置して生ゴミを保管するための流し台用生ゴミ保管容器の製造方法であって、
生ゴミ保冷手段を有する保冷剤室を備えた押下台を前記蓋体に取り付ける工程と、前記容器本体内の底部に前記押下台とあわせて生ゴミ圧縮手段を構成するスプリング付き押上台を、その下部に排水貯水室となる容器内部空間を確保しつつ取り付ける工程と、該押下台および押上台との間で容器本体内部に生ゴミ水切り手段を取り付ける工程とを備えてなり、
前記押上台を取り付ける工程は、容器本体の内部底面に、スプリング保持溝を有する下底板を敷いた後、該スプリング保持溝にスプリングを嵌め、この上部にスプリング嵌挿溝を有する上底板を該溝に前記スプリングが嵌挿するように取り付ける工程であることを特徴とする流し台用生ゴミ保管容器の製造方法。
【発明の詳細な説明】
【技術分野】
【０００１】
本発明は、家庭および厨房などで、調理後の生ゴミを流し台に一時保管するための流し台用生ゴミ保管容器に関する。
【背景技術】
【０００２】
一般に、生ゴミの収集日は地域毎に決まっており週２回程度の場合が多い。そこで、次の収集日までの間に発生した生ゴミは、ポリ容器やゴミ袋に貯蔵しておく必要がある。また、このポリ容器などに貯蔵する前段階として、その日に出た生ゴミは流し台のコーナー容器などに一時的に保管していることが多い。例えば、生ゴミを直接流し台のコーナー容器に収容するか、または、ビニール袋や専用メッシュを該容器に被せ、その中に生ゴミを収容する。その後、コーナー容器内の生ゴミの量、嵩の多さにより、台所用片隅に用意したポリ容器などにこれを収容する。これらの一連の作業が、日々繰り返されているが、ポリ容器内、または、コーナー容器に一時保管する間にも生ゴミの腐敗が発生する場合があり、特に夏季においては悪臭と汚水に悩まされているのが現状である。
【０００３】
そのため、発生した生ゴミを次の収集日までの間、腐敗や悪臭を防止しつつ、保管する装置などが考案されている。例えば、中棚を有する冷蔵保冷容器内に取り外し自由、穴開き足付き棚を確保して、底に氷や、ドライアイス等を入れることにより、生ゴミ臭を１０日間カットするポリ容器（特許文献１参照）、上部に開口を有する冷蔵部と、この冷蔵部の開口を覆うための開閉可能な蓋とを備え、冷蔵部内にゴミ袋を装着し、冷蔵部の開口から投入された生ゴミをゴミ袋内に貯蔵し、冷却することを特徴とする生ゴミ冷蔵庫（特許文献２参照）、保管庫中のシリンダに生ゴミを投入し、同生ゴミはシリンダ周囲の冷却器により冷却し、シリンダ中のピストンにより圧縮、脱水して保管することを特徴とする生ごみ処理保管庫（特許文献３参照）、または、生ゴミを収容し、保存する保存室と、この保存室内の生ゴミを乾燥させる乾燥手段と、この乾燥手段終了後、生ゴミを冷凍する冷凍手段とを備えたこと特徴とする生ゴミ冷凍冷蔵庫（特許文献４参照）などが挙げられる。これらの装置は、生ゴミの腐敗防止という点において効果が認められている。
【０００４】
しかしながら、特許文献１の容器では生ゴミ臭のカットはできるが、生ゴミが水切りされないまま容器底部に残留し、生ゴミを容器から取出すときに汚水が滴り落ちて、周囲への付着、汚染などの可能性がある。特許文献２〜４の装置については、何れも冷凍機による冷凍機構の搭載により、容積や重量が大きくなるため、広い設置場所を確保する必要がある、装置の購入費が高額になる、装置への生ゴミの搬出、搬入および装置のメンテナンスに手間がかかるなどの問題があり、一般家庭や小規模な厨房で導入することは困難である。
【特許文献１】実登録３０７２１１２号公報（実用新案登録請求の範囲）
【特許文献２】特開２０００−２１９３０２号公報（特許請求の範囲）
【特許文献３】実開昭６０−１２６４０４号公報（実用新案登録請求の範囲）
【特許文献４】特開平６−３２９２０１号公報（特許請求の範囲）
【発明の開示】
【発明が解決しようとする課題】
【０００５】
本発明は、このような問題に対処するためになされたもので、冷凍機および圧縮機などの動力を使用せず、設置用スペースに場所を取らず、流し台のコーナーに収納可能であり、取り扱い操作が簡単で、かつ軽量安価な流し台用生ゴミ保管容器を提供することを目的とする。
【課題を解決するための手段】
【０００６】
本発明の流し台用生ゴミ保管容器は、容器本体と該本体に開閉自在に取り付けられた蓋体とを備え、流し台に設置して生ゴミを保管するための流し台用生ゴミ保管容器であって、該容器本体は、生ゴミを圧縮する生ゴミ圧縮手段および生ゴミの水切りをする生ゴミ水切り手段を有する生ゴミ収納室と、該生ゴミ収納室に隣接し、生ゴミを保冷する生ゴミ保冷手段を有する保冷剤室と、上記水切り手段により得られた生ゴミからの排水を貯水する排水貯水室とを備えてなり、上記生ゴミ圧縮手段は、生ゴミ収納室底部に設けられたスプリング付き押上台により、生ゴミを該押上台と蓋体との間で圧縮する手段であることを特徴とする。
また、上記容器本体および蓋体は、断熱手段を備えてなることを特徴とする。
また、上記容器本体および蓋体は、流し台のコーナーに合わせた略三角柱形状であることを特徴とする。
【０００７】
上記容器本体は、該本体内部を上記生ゴミ収納室と、上記保冷剤室と、上記排水貯水室とに仕切る仕切板を備えてなるこを特徴とする。
【０００８】
上記圧縮手段は、生ゴミ収納室内に設けられたスプリング付き押上台と、上記蓋体に着脱自在に取り付けられたスプリング付き押下台との間で生ゴミを圧縮する手段であることを特徴とする。
【０００９】
本発明の流し台用生ゴミ保管容器の製造方法は、容器本体と該本体に開閉自在に取り付けられた蓋体とを備え、流し台に設置して生ゴミを保管するための流し台用生ゴミ保管容器の製造方法であって、生ゴミ保冷手段を有する保冷剤室を備えた押下台を上記蓋体に取り付ける工程と、上記容器本体内の底部に上記押下台とあわせて生ゴミ圧縮手段を構成するスプリング付き押上台を、その下部に排水貯水室となる容器内部空間を確保しつつ取り付ける工程と、該押下台および押上台との間で容器本体内部に生ゴミ水切り手段を取り付ける工程とを備えてなり、上記押上台を取り付ける工程は、容器本体の内部底面に、スプリング保持溝を有する下底板を敷いた後、該スプリング保持溝にスプリングを嵌め、この上部にスプリング嵌挿溝を有する上底板を該溝に上記スプリングが嵌挿するように取り付ける工程であることを特徴とする。
【発明の効果】
【００１０】
本発明の流し台用生ゴミ保管容器は、動力を用いない、生ゴミ水切り手段、生ゴミ圧縮手段、生ゴミ保冷手段を備えているので、装置を小型化できる。また、装置の始動などの特別な操作をしなくても、生ゴミを流し台用生ゴミ保管容器に収納するだけで、生ゴミの水切り、生ゴミの圧縮、生ゴミの保冷を進行させ、生ゴミの腐敗および悪臭の飛散を防止することができる。この結果、流し台を清潔に保つことができる。また、装置の構造が単純であるため、生ゴミを取出した時に合わせて、容易に容器内を水洗することができ、容器内を清潔に保つことができる。
【００１１】
また、流し台用生ゴミ保管容器を構成する容器本体および蓋体に断熱手段を備えるので、保冷効果の向上およびその持続性に優れる。また、保管容器の形状を流し台のコーナーに合わせた三角柱形状とするので、設置スペースが小さく流し台の作業領域を大きく圧迫しない。また流し台と合わせた外観形状にも優れる。
【００１２】
容器本体内部を生ゴミ収納室と、保冷剤室と、排水貯水室とに仕切る仕切板を備えてなるので、圧縮手段による生ゴミの圧縮時にはスプリング付き押上台と、蓋体、および該仕切板が障壁となって生ゴミを密に圧縮できる。
【００１３】
上記圧縮手段は、生ゴミ収納室内に設けられたスプリング付き押上台と、上記蓋体に着脱自在に取り付けられたスプリング付き押下台との間で生ゴミを圧縮する手段であるので、生ゴミ収納室内の生ゴミ量が少ない場合でも、垂直上下方向から生ゴミを密に圧縮することができる。
【００１４】
本発明の流し台用生ゴミ保管容器の製造方法は、容器本体と蓋体とを有する既存の容器などに、生ゴミ圧縮手段、水切り手段、保冷手段を嵌め合わせるだけなので、製造が簡易である。
【発明を実施するための最良の形態】
【００１５】
本発明の流し台用生ゴミ保管容器を図１および図２を参照して説明する。図１は、本発明の流し台用生ゴミ保管容器の全体斜視図を、図２は図１におけるＡ−Ａ断面図をそれぞれ示す。図１に示すように、流し台用生ゴミ保管容器１は、容器本体１ｂと該本体に取り付けられた蓋体１ａとを備えている。また、蓋体１ａを閉じた状態において固定できるよう、容器本体１ｂ上部に蓋体留め具２が設けられている。固定蓋体１ａは、容器本体１ｂと開閉自在に取り付けれていればよく、例えば、蓋体１ａの１辺を容器本体１ｂに開閉可能に蝶合する、または、蓋体１ａを脱着可能に取り付けてもよい。
容器本体１ｂおよび蓋体１ａは、容器内部温度を保冷手段により低温に保つため断熱手段を備えている。断熱手段としては、発泡スチロール断熱層などの公知の断熱手段を用いることができる。
また、保管容器１の形状は流し台用として利用するため、一般的な流し台に配置できる形状および大きさであればよい。例えば、箱形状、三角コーナー形状などとすることができる。流し台の作業領域を圧迫せず、設置容易性などに優れることから図１に示すような流し台のコーナーに合わせた三角柱形状とすることが好ましい。
【００１６】
容器本体１ｂは、生ゴミ圧縮手段を構成するスプリング付き押上台９ｂと、生ゴミ水切り手段であるメッシュ袋１１とを備え付けた生ゴミ収納室３と、該生ゴミ収納室３に隣接し、生ゴミ保冷手段を有する保冷剤室４と、上記水切り手段により得られた生ゴミからの排水を貯水する排水貯水室５とを備えている。なお、図１および図２に示すように、生ゴミ収納室３と、保冷剤室４と、排水貯水室５とを明確に区切るとともに、生ゴミ収納室３内での生ゴミの圧縮を効率よく行なうため、容器本体１ｂ内にこれらを仕切る仕切板８を設けることが好ましい。
生ゴミ水切り手段は生ゴミから生成する排水を水切りできるものであればよく、メッシュ袋のほか、メッシュネット、鋼製メッシュ網などを用いることができる。装置へ着脱、および廃棄が容易であることからメッシュ袋、メッシュネットを用いることが好ましい。また、メッシュを用いることにより、ポリ袋のように生ゴミ中の水分が袋の底に溜まることなく水切りできるので、生ゴミをとりだすときに汚水が滴り落ちることによる周囲の汚染および悪臭の飛散を防ぐことができる。
【００１７】
生ゴミ圧縮手段は、生ゴミ収納室３に収納された生ゴミをスプリング付き押上台９ｂで押し上げることにより、蓋体１ａを閉じた状態で、該蓋体１ａとの間で圧縮する手段である。よって、動力を必要とせずスプリングのみの力で容易に生ゴミを圧縮し、減容することができる。また、圧縮によって生ゴミから水分が圧搾されるので、生ゴミの水切りおよび脱水が進行し、搾出された排水は排水貯水室５に貯えられる。なお、蓋を閉じることによって、装置は密閉されるので、生ゴミから発生する悪臭の漏洩を防止することができる。
本発明の他の実施態様を図３を参照して説明する。図３は蓋体１ａにスプリング付き押下台９ａを設けた場合の図１におけるＢ−Ｂ断面図である。
生ゴミ収納室３に収納される生ゴミ量が少量である場合、生ゴミと蓋体１ａとの間に隙間ができ十分な圧縮ができない可能性がある。図３に示すように、スプリング付き押下台９ａを蓋体１ａ側に取り付けることにより、生ゴミは押下台９ａにより押し下げられ、押上台９ｂにより押し下げられその間で挟まれ圧縮されるので、上記生ゴミ量が少ない場合でも十分な減容が期待できる。なお、生ゴミ量に応じて、該態様を選択できるようにするため、スプリング付き押下台９ａは蓋体１ａに脱着自在に取り付けることが好ましい。
【００１８】
保冷手段は生ゴミを冷却するための、特に動力を用いない手段を用いることができる。具体的には、氷または市販の携帯保冷剤などを使用することができる。これらの保冷剤は家庭用冷蔵庫から容易に調達することができるとともに、生ゴミ収納室３に隣接する保冷剤室４に補充しやすいため好ましい。該保冷手段と、容器本体および蓋体に施された上述の断熱手段により、容器内の温度を低温に保持できる。
【００１９】
排水貯水室５は水切り、圧縮および保冷手段より生成する排水を一旦貯えるためのものであり、該貯水室底部に、容器本体１ｂ外部へ該排水を排出するための排水栓１０が設けられている。排水栓１０を閉じることにより排水を一時貯水することができる。また、容器から該排水を排出するときに容器を流し台から取り外さなくても排水栓１０を開けることにより、直接流し台へ排出することができる。なお、排水栓１０を微開にしておけば、排水貯水室５に貯水されることなく、排水栓１０を経て流し台内に、悪臭などが気にならない程度に自然に排出されるので排水貯水量を確認する手間を省くことができる。
【００２０】
仕切板８は、図４に示すような形状であり、ステンレス製の全面メッシュ金網で造られる。該仕切板を容器内に装着することにより、図２に示すように上部を蓋１ａ、側部を容器壁面７および仕切板８、下部を容器底部６に囲まれてなる保冷剤室４と、上部を蓋１ａ、側部を容器壁面７および仕切板８、下部を容器底部６に囲まれてなる生ゴミ収納室３と、上部を保冷剤室４および生ゴミ収納室３、側部を容器壁面７および仕切板８、下部を容器底部６に囲まれてなる排水貯水室５が形成される。
仕切板８を装着することにより、生ゴミ圧縮手段による生ゴミ圧縮効率の向上も図れる。すなわち、内側にメッシュ袋１１を有する生ゴミ収納室３に投入された生ゴミが、上方から蓋体１ａまたはスプリング付き押下台を介して生ゴミを下方に押下げる力と、下方から容器底部６、スプリング付き押上台９ｂを介して生ゴミを上方に押上げる力とによって、垂直上下方向から圧縮され、水平方向に広がろうとする力が働くが、水平方向は側面の仕切板８および容器壁面７が障壁となって、生ゴミ収納室３の水平断面積以上には水平方向に拡大できないため、略直方体形に密に圧縮されることになる。
また、仕切板８がステンレス製のメッシュ金網で造られていることにより、保冷剤室４に収納された保冷剤の冷気を生ゴミ収納室３の生ゴミに効率よく接触させることができ、生ゴミを低温に保つことができる。
【００２１】
次に、本発明の流し台用生ゴミ保管容器の使用方法および機能について図１および図２を参照して説明する。まず、容器壁面７、仕切板８に囲まれた保冷剤室４に氷または携帯保冷剤などを入れる。
仕切板８上部に取り付けられたメッシュ袋１１の内側に、生ゴミを投入する。投入された生ゴミは、上方から蓋１ａまたはスプリング付き押下台９ａを介して生ゴミを下方に押下げる力と、下方から容器底部、スプリング付き押上台９ｂを介して生ゴミを上方に押上げる力とによって圧縮される。圧縮によって生ゴミから水分が圧搾され、搾出された排水は排水貯水室５に貯えられる。水切り、圧搾され、嵩を圧縮された生ゴミはメッシュ袋１１内に留まり、保冷剤から出る冷気および、容器外周囲の断熱材によって低温に保たれ、生ゴミの腐敗の進行が防止される。
排水貯水室５の水量に応じて、排水栓１０を開放して排水を装置外に排出する。排水貯水室５の水量は、生ゴミ投入時に、メッシュ袋１１を持ち上げ、排水貯水室５を目視することによって容易に確認することができる。なお、排水栓１０を微開にしておけば、排水貯水室５に溜まった排水の水量を確認しなくても排水は排水栓１０を経て、流し台に排出される。
生ゴミの収集日に水切り、脱水、圧縮された生ゴミを本装置から取り出し、自治体指定のゴミ袋などに収納して廃棄する。生ゴミ収集日までの３〜４日間、生ゴミが水切り、脱水、圧縮、保冷されているので、衛生面、廃棄物減容面で好ましい状態で、流し台上で保管することができる。
生ゴミを本装置から取り出して、次の新しいメッシュ袋１１をセットする前に、装置内部の仕切板８、スプリング付き押下台９ａ、スプリング付き押上台９ｂおよび排水栓１０を取り出し、水洗する。容器の構造が単純であり、これらの取り外しおよび水洗が容易であるため、装置内を清潔に保つことができる。
【００２２】
本発明の流し台用生ゴミ保管容器の製造方法を図５および図６を参照して説明する。図５および図６は本発明の流し台用生ゴミ保管容器の他の実施形態として、直方体箱状の本体容器を用いる場合の製造工程を示す図である。
図５に示すように、蓋体１ａの切り込みレール１ｃに沿って、押下台９ｃの突起部９ｄを嵌め合わせることで、押下台９ｃが蓋体１ａに固定される。押下台９ｃは、保冷剤室４を備えており、該保冷剤室４に市販の携帯保冷剤などを収容しておく。なお、押下台９ｃは別途手段により蓋体１ａに固定されていてもよい。
容器本体１内部へのスプリング付き押上台９ｂの設置方法を図６を参照して説明する。図６（ａ）〜（ｃ）は、蓋体および容器本体外壁面を省略した斜視図でである。
まず、容器本体１ｂの内部底面に、スプリング保持溝１２ａを有する下底板１２を敷く（図６（ａ））。ここで、下底板１２の突起部１２ｂが容器本体１の底部スペーサー１ｄの凹部に嵌合されるようにすることで、該下底板１２を位置固定できる。次にスプリング１３をスプリング保持溝１２ａに嵌める（図６（ｂ））。最後に、スプリング嵌挿溝１４ａを有する上底板１４を該溝１４ａにスプリング１３が嵌挿するように取り付ける（図６（ｃ））。上記手順により、下底板１２、上底板１４、およびスプリング１３とからなるスプリング付き押上台９ｂが容器本体１に設置される。また、下底板１２下部に、生ゴミ排水を貯水するための空間が確保されている。
スプリング付き押上台９ｂ設置後、生ゴミ水切り手段として、メッシュネット１５を容器本体１ｂのネット取り付けフック１ｅにかけて固定し、本発明の流し台用生ゴミ保管容器１が完成する（図６（ｄ））。
【産業上の利用可能性】
【００２３】
本発明の流し台用生ゴミ保管容器は、家庭および厨房などの流し台に設置するものとして好適に使用できる。また、容器本体としてクーラーボックスなどを用いることにより、バーベキューなどの屋外調理時の生ゴミ保冷容器としても利用できる。
【図面の簡単な説明】
【００２４】
【図１】本発明の一実施例に係る流し台用生ゴミ保管容器の全体斜視図である。
【図２】図１におけるＡ−Ａ断面図である。
【図３】図１におけるＢ−Ｂ断面図である。
【図４】本発明の流し台用生ゴミ保管容器の仕切板の全体斜視図である。
【図５】蓋体に押下台を取り付ける工程を示す図である。
【図６】容器本体に押上台などを取り付ける工程を示す図である。
【符号の説明】
【００２５】
１      流し台用生ゴミ保管容器
１ａ    蓋
１ｂ    容器本体
１ｃ    切り込みレール
１ｄ    底部スペーサー
１ｅ    ネット取り付けフック
２      留め金
３      生ゴミ収納室
４      保冷剤室
５      排水貯水室
６      容器底部
７      圧縮台
８      仕切板
９ａ    スプリング付き押下台
９ｂ    スプリング付き押上台
９ｃ    押下台
９ｄ    突起部
１０    排水栓
１１    メッシュ袋
１２    下底板
１２ａ  スプリング保持溝
１２ｂ  突起部
１３    スプリング
１４    上底板
１４ａ  スプリング嵌挿溝
１５    メッシュネット
【図１】
2005231856.tif 000003
【図２】
2005231856.tif 000004
【図３】
2005231856.tif 000005
【図４】
2005231856.tif 000006
【図５】
2005231856.tif 000007
【図６】
2005231856.tif 000008